(57)【特許請求の範囲】
【請求項１】
弾性部材により構成され、外形形状を変形可能となされた内側筐体と、
非弾性部材により構成され、上記内側筐体の主面を除く外周部分を取り囲むように形成された外周筐体と、
上記内側筐体または上記外周筐体に併設された静電スイッチおよび光センサを有し、上記内側筐体の外形形状を変形させたことにより当該内側筐体の主面が上記外周筐体の主面よりも外側に突き出た形状になったことを、上記静電スイッチおよび光センサの検出出力により認識する変形認識部と、
上記内側筐体の主面が上記外周筐体の主面よりも外側に突き出た形状になったことを上記変形認識部が認識した時に、所定のデータを送信する通信部と
を有する携帯通信端末。
【請求項２】
ストラップ取り付け部と、
上記ストラップ取り付け部に対して取り付け・取り外し可能になされているとともに、近距離無線通信を行う近距離無線通信部を備えたストラップホルダとを有し、
上記通信部は、近距離無線通信機能を有し、
上記通信部の近距離無線通信機能は、上記ストラップホルダの近距離無線通信部から所定の信号を受信しており、
上記通信部の近距離無線通信機能において上記ストラップホルダの近距離無線通信部から上記所定の信号を受信しなくなった場合、当該通信部は、所定の連絡先へ緊急信号を送信する請求項１記載の携帯通信端末。
【請求項３】
上記静電スイッチは、上記内側筐体が有する第一，第二の二つの主面のうちの第二の主面上に設けられ、
上記光センサは、上記外周筐体が有する第一，第二の二つの主面のうち、上記内側筐体の上記静電スイッチが設けられた第二の主面に対して裏面側となる第一の主面側で且つ、上記内側筐体の第一の主面が当該外周筐体の第一の主面よりも外側に突き出た形状になったことを検出可能な位置に設けられ、
上記変形認識部は、上記内側筐体の上記第二の主面側から外力が加えられたことにより上記静電スイッチから検出出力が得られ、且つ、当該内側筐体の第一の主面が上記外周筐体の第一の主面よりも外側に突き出た形状になったことにより上記光センサから検出出力が得られた時に、上記内側筐体の主面が上記外周筐体の主面よりも外側に突き出た形状になったことを認識する請求項１記載の携帯通信端末。
【発明の詳細な説明】
【技術分野】
【０００１】
本発明は、例えば携帯電話端末等の携帯通信端末に関する。
【背景技術】
【０００２】
近年は携帯電話端末の普及が進み、大人だけでなく、子供も携帯電話端末を持ち歩くことが多くなってきている。特に、小学生など低年齢の子供を持つ親は、最近のように治安が悪化しつつある現状を踏まえ、防犯等のために子供に携帯電話端末を持たせることを望むことが多い。
【０００３】
一方、市場に出回っている携帯電話端末には様々なデザインのものがあり、ユーザは、それら様々なデザインの携帯電話端末の中から自分の好みのデザインのものを購入して使っている。
【０００４】
また、携帯電話端末は、ユーザが常に携帯するものであるため、例えば落下させたり雨が降りかかったりすることが多く、最近は、耐衝撃性を高めたり防水性能を高めたものも商品化されてきている。
【０００５】
なお、特開平１１−２１３８００号の公開特許公報（特許文献１）には、ゴム等の弾性体でなる断面が略半円形の弾性チューブと、弾性チューブ内に封入された空気等の圧力伝達物質と、導通／非導通の切り換えがなされる接点とからなる電源スイッチを備え、弾性チューブを指等で押した際の押圧力を、圧力伝達物質により接点に伝えることで、電点のオン／オフを行えるようにした電子機器が開示されている。また、弾性チューブは、電子機器の筐体の表面から突出しており、衝撃吸収用のプロテクタの機能をも有している。
【０００６】
【特許文献１】特開平１１−２１３８００号公報（図１）
【発明の開示】
【発明が解決しようとする課題】
【０００７】
ところで、子供等に持たせることをコンセプトとした携帯電話端末を商品化する場合には、落下等に対する耐衝撃性や雨等に対する防水性能を通常よりも高めることが求められるが、それに加えて、その端末自体の大きさや使い勝手についても、子供が使い易いものにすることが望まれる。
【０００８】
特に、子供は、アニメキャラクタのシールを交換したり、自分自身の写真シールを互いに交換するようなことを好むことから、例えば、子供達がそれぞれ携帯電話端末を持つようになった場合には、各自の携帯電話端末で撮影して内部に保存している写真データ等を例えば赤外線通信等により交換するようになると考えられる。
【０００９】
しかしながら、現在の携帯電話端末の場合、赤外線通信機能を利用してデータを交換するためには、例えば、多数のメニューの中から赤外線通信機能を起動させるメニューを探し出す操作や、データの交換を行うため送受信開始操作などのような複雑な操作を行わなければならず、子供がそれらを総て理解して使いこなすのは難しい。
【００１０】
本発明は、このような実情に鑑みて提案されたものであり、例えば子供に持たせるような場合において、耐衝撃性や防水性能を高めることができ、且つ、子供にとって使い易い携帯通信端末を提供することを目的とする。
【課題を解決するための手段】
【００１１】
本発明の携帯通信端末は、弾性部材により構成され、外形形状を変形可能となされた内側筐体と、非弾性部材により構成され、内側筐体の主面を除く外周部分を囲む外周筐体と、内側筐体または外周筐体に併設された静電スイッチおよび光センサを有し、内側筐体の外形形状を変形させたことにより当該内側筐体の主面が外周筐体の主面よりも外側に突き出た形状になったことを認識する変形認識部と、変形認識部により内側筐体の主面が外周筐体の主面よりも外側に突き出た形状になったことが認識された時に、所定のデータを送信する通信部とを有することにより、上述した課題を解決する。
【００１２】
すなわち、本発明によれば、内側筐体は弾性部材により構成されているため、その外形形状を変形させることが可能であり、また、耐衝撃性や防水性能を高めることができる。そして、内側筐体の主面が外周筐体の主面よりも外側に突き出た形状になったことを変形認識部が認識した時、通信部から所定のデータを送信するようになされているため、情報の送信という行為が、子供にとって感覚的に判り易くなっている。
【発明の効果】
【００１３】
本発明においては、内側筐体を弾性部材により構成して外形形状を変形可能とし、内側筐体の主面が外周筐体の主面よりも外側に突き出た形状になされた時に所定のデータを送信するようになされているため、高い耐衝撃性や防水性能を得ることができ、且つ、子供にとって使い易い端末を提供することができる。
【発明を実施するための最良の形態】
【００１４】
以下、図面を参照しながら、本発明の携帯通信端末の一実施形態について説明する。
【００１５】
なお、本実施形態では、本発明の携帯通信端末の一例として、携帯電話端末を挙げているが、勿論、ここで説明する内容はあくまで一例であり、本発明はこの例に限定されないことは言うまでもない。
【００１６】
〔携帯電話端末の外観及び構成〕
図１〜図７には、本発明実施形態の携帯電話端末１の概略的な外観を示す。なお、図１，図７は本実施形態の携帯電話端末の正面図、図２〜図４は斜視図、図５，図６は断面図を示している。
【００１７】
本実施形態の携帯電話端末１は、外周筐体２と内側筐体３とストラップ取り付け部４とからなる。
【００１８】
内側筐体３は、エラストマー等の弾性部材により形成されており、その内部に後述する回路構成を備えている。また、当該内側筐体３の筐体主面側の内部には、ディスプレイ５とカメラ部６、例えば三つのボタン８等が設けられている。特に、本実施形態の場合、ディスプレイ５の表示面側の弾性部材は例えば円形の透明エラストマーとなされており、同様に、カメラ部６のレンズ面側の弾性部材、三つのボタン８の表面側の弾性部材もそれぞれ例えば円形の透明エラストマーとなされている。また、図３に示すように、内部筐体３の背面側には、例えば静電スイッチ７が設けられている。
【００１９】
ディスプレイ５は、液晶等の平面表示デバイスからなり、その画面上には、例えば電話番号や電子メールの文字、アイコン、写真画像、いわゆるテレビ電話の画像等が表示される。
【００２０】
カメラ部６は、レンズ系と撮像デバイスを有し、いわゆるデジタルカメラやビデオカメラとして機能し、また、テレビ電話による通話時にはテレビ電話用の画像撮影を行う。
【００２１】
三つのボタン８は、それぞれ所定の電話番号や電子メールアドレスに対応付けられた押下操作可能な操作子である。それら三つのボタン８のうちの所望の一つのボタンがユーザにより押された時、本実施形態の携帯電話端末１は、当該押されたボタンに対応付けられている電話番号への発呼、若しくは、電子メールアドレスへの発信を行う。なお、それらボタン８の何れかが、予め決められた一定時間以上押された場合にはテレビ電話機能を起動させ、そのボタンに対して登録されている相手先端末との間でテレビ電話による通信ができるようにしても良い。
【００２２】
外周筐体２は、上記内側筐体３の外周を取り囲むように形成され、例えば金属或いはプラスチック等からなる非弾性部材にて形成されている。また、当該外周筐体２には、上記ストラップ取り付け部４が設けられている。
【００２３】
このように、本実施形態の携帯電話端末１においては、上記内側筐体３の外周部分を当該外周筐体２により挟み込むことにより、当該内側筐体３の内部に水等が入り込まないようになされているため、雨等により外側が濡れたとしても内部の回路構成等へは何等影響が及ばない。また、本実施形態の携帯電話端末１よれば、金属或いはプラスチック等からなる非弾性部材にて外周筐体２が形成され、その外周筐体２により内側筐体３を取り囲むようし、さらに、内側筐体３がエラストマー等の弾性部材により形成され、その内部に回路構成やディスプレイ５，カメラ部６等が配されるようになされているため、落下等に対する耐衝撃性が非常に高くなっている。
【００２４】
また、上記内側筐体３は、上記ディスプレイ５やカメラ部６、ボタン８等が設けられている主面側が、通常時には図５に示すように外周筐体２の主面よりも内側に窪む形状を保つようになされている。したがって、携帯電話端末１を背面側から見ると、図３に示すように、当該内側筐体３は、上記外周筐体２の背面よりも外側に突き出た形状となされる。なお、図１，図２，図３，図５，図７は、上記内側筐体３が上記通常時の形状を保っている状態を示している。
【００２５】
〔内側筐体の変形による信号送信機能〕
ここで、上記内側筐体３は、上述したようにエラストマー等の弾性部材により形成されているため、例えば、図６に示すように、上記内側筐体３の背面側を指等により図中矢印Ｙｂ方向に押した場合には、上記ディスプレイ５やカメラ部６、ボタン８等が設けられている主面側が、上記外周筐体２の主面よりも外側に突き出た形状に変形することになる。なお、図４は、上記内側筐体３の背面側が指等により押されることで、当該内側筐体３の主面側が外周筐体２の主面よりも外側に突き出た形状となっている状態を示している。
【００２６】
このように、本実施形態の携帯電話端末１によれば、内側筐体３が変形可能となされているため、従来の一般的な携帯電話端末では考えられないユニークな使用方法を実現可能となる。
【００２７】
上記ユニークな使用方法の一例として、内側筐体３の変形と信号送信とを連動させ、近距離無線通信により、二つ若しくは複数の携帯電話端末１間で情報を送受信するような機能を挙げることができる。
【００２８】
すなわち、本実施形態の携帯電話端末１は、例えばいわゆるブルートゥース（BlueTooth）通信や赤外線通信（ＩｒＤＡ）等の近距離無線通信部を備えており、図６に示したように上記内側筐体３の背面側が矢印Ｙｂ方向に押された場合には、例えば画像や音声データ、テキストデータ等の所望のデータを、上記近距離無線通信部により、他の携帯電話端末１との間で交換する機能を備えている。
【００２９】
また、他の使用方法の例として、図６のように上記内側筐体３の背面側が矢印Ｙｂ方向に押された状態で、予め定めた一定時間が経過した時、例えばテレビ電話機能を起動させるようなことも可能である。
【００３０】
ここで、上記内側筐体３の背面側が押されることにより当該内側筐体３が変形したかどうかは、例えば図５，図６に示すように、上記内側筐体３の背面側に設けられている静電スイッチ７を指等により触れた状態で、光センサ９から図中矢印Ｙａ方向に出射されている光が内側筐体３により遮られたか否かにより検出することができる。すなわち、図５に示す状態の時は、光センサ９からの出射光は内側筐体３により遮られていないため、当該内側筐体３は変形していないと判定することができる。一方、図６に示す状態の時は、背面側の静電スイッチ７に指等が触れた状態となっており、且つ、光センサ９により内側筐体３により出射光が遮られていると検出されるため、上記内側筐体３が変形していると判定することができる。なお、この判定において、光センサ９の検出出力と静電スイッチ７の検出出力の両方を用いるようにしたのは、例えば、上記光センサ９の検出出力のみで判定を行うようにすると、例えば内側筐体３の主面側に指等を持ってきた場合に当該光センサ９の光が遮られることがあり、その場合、内側筐体３が変形していないにもかかわらず変形していると誤判定してしまう虞があるためであり、同様に、上記静電スイッチ７の検出出力のみで判定を行うようにすると、例えば内側筐体３の背面側の静電スイッチ７を指で触ってしまった場合に、内側筐体３が変形していないにもかかわらず変形していると誤判定してしまう虞があるためである。
【００３１】
〔ストラップホルダ〕
本実施形態の携帯電話端末１において、上記ストラップ取り付け部４には、図７に示すように、ストラップホルダ１２を介して、例えばハンドストラップ或いはネックストラップ１０を取り付け可能となされている。
【００３２】
ここで、本実施形態の場合、上記ストラップホルダ１２は、緊急連絡ボタン１１と、本実施形態の携帯電話端末１との間で例えばブルートゥース通信や赤外線通信により情報通信を行うための近距離無線通信部を備えている。
【００３３】
すなわち、本実施形態において、ストラップホルダ１２は、緊急連絡ボタン１１が押下された時、その旨を示す信号を近距離無線通信部により携帯電話端末１へ送信するようになされている。この信号を受信した時、本実施形態の携帯電話端末１は、予め登録されている所定の電話番号へ自動発呼を行ったり、予め登録されている電子メールアドレスに宛てて、所定の緊急信号を自動送信するような信号自動送信機能を備えている。なお、上記所定の電話番号や所定の電子メールアドレスとしては、本実施形態の携帯電話端末１を子供が使用している場合、その子供の親等が所持している携帯電話端末の電話番号や電子メールアドレス、自宅の固定端末の電話番号やメールアドレス、後述するクレードルに設定されている電話番号や電子メールアドレス、親等が契約している警備会社の緊急用電話番号や緊急用電子メールアドレス等を挙げることができる。
【００３４】
このように、本実施形態の携帯電話端末１は、ストラップホルダ１２の緊急連絡ボタン１１が押下された時に、自動的に所定の信号を予め定めた電話番号や電子メールアドレスへ送信可能となされているため、この携帯電話端末１の使用者である子供が、例えば不審者等により連れ去られるような緊急事態が発生した場合、子供は、親や警備会社等に緊急事態が発生したことを直ちに連絡することが可能となる。これにより、親や警備会社はそのような緊急事態への迅速且つ適切な対処を行うことが可能となる。
【００３５】
なお、上述の説明では、緊急連絡ボタン１１が押された場合に緊急連絡を行う一例を挙げて説明したが、その他にも、例えば、ストラップホルダ１２が携帯電話端末１のストラップ取り付け部４から取り外されたことにより、携帯電話端末１がストラップホルダ１２との間で近距離通信を行えなくなったような場合に、上述同様の緊急連絡を行うようにしても良い。
【００３６】
また、本実施形態の携帯電話端末１は、いわゆるＧＰＳ（Global Positioning System）機能を具備し、上記ストラップホルダ１２の緊急連絡ボタン１１が押下された時に、例えば予め登録されている所定の電話番号や所定の電子メールアドレスに宛てて、上記ＧＰＳ機能が検出した現在位置情報を自動送信する機能を備えていても良い。さらに、当該現在位置情報を自動送信する際には、例えば、テレビ電話機能を立ち上げ、カメラ部６により撮影した映像信号を同時に送信するようにしても良い。
【００３７】
そして、例えば子供の携帯電話端末１のＧＰＳ機能とテレビ電話機能が起動することで現在位置情報と映像信号が送信された場合、上記映像信号については携帯電話システムを通じて親の携帯電話端末へ送られ、現在位置情報については所定のナビゲーションサービスサーバを経由して親の携帯電話端末へ送られる。この時、所定のナビゲーションサービスサーバは、上記子供の携帯電話端末１の現在位置情報と共に、その位置を表示するための地図データを親の携帯電話端末へ送る。
【００３８】
これにより、親の携帯電話端末のディスプレイ１００の画面には、例えば図８に示すように、地図上に子供の現在位置１０２（携帯電話端末１の現在位置１０２）が表示されると共に、当該現在位置に対応した端末１からのテレビ電話映像ウィンドウ１０１が表示される。そして、子供が移動した場合には、当該親の携帯電話端末のディスプレイ１００の画面上の上記現在位置１０２も、上記子供の移動に応じて移動することになる。図８の例で表示されている地図の範囲から、現在位置１０２が外れるような場合には、所定のナビゲーションサービスサーバから、当該現在位置１０２をディスプレイ画面上に表示可能な新たな地図データが供給されることになる。なお、画面の例えば右下に表示されているウィンドウ１０３は、親の携帯電話端末のカメラ部により撮影されている親のテレビ電話映像用のウィンドウである。
【００３９】
このように、本実施形態の携帯電話端末１においては、ストラップホルダ１２の緊急連絡ボタン１１が押下された時に、現在位置情報とテレビ電話映像信号を所定の相手先に宛てて送信可能となされているため、当該携帯電話端末１の使用者である子供が、例えば道に迷ってしまったために親へ連絡したい場合や、例えば外出先で怪我を負ってしまったために親へ連絡したい場合、或いは、外出時に親に迎えに来てもらう場合などに、自分の現在位置とテレビ電話映像を、親に自動的に連絡することが可能となる。これにより、親は、子供の現在位置に基づいて、子供に的確な指示を与えることが可能となる。
【００４０】
勿論、現在位置情報とテレビ電話映像信号の自動送信は、上述した緊急事態の発生時に行われても良い。その他、信号自動送信時には、現在位置情報のみを送信することも可能である。
【００４１】
〔ＱＲコードの貼り付け〕
本発明実施形態の携帯電話端末１は、入力音声やテキスト、簡単な画像等をいわゆるＱＲ（Quick Response）コードに変換する機能と、そのＱＲコードの画像データを例えばカメラ部６により撮影された別の画像（例えば自分撮りの画像）等に付加する機能、印刷されたＱＲコードをカメラ部６により撮影し、その撮影画像からＱＲコードを認識して、音声やテキスト等を復元する機能をも備えている。また、本実施形態の携帯電話端末１によれば、前述した内側筐体３の変形に連動した信号送信機能により、当該ＱＲコードが付加された画像等のデータを、他の携帯電話端末１との間で相互に交換可能となされている。
【００４２】
〔クレードルとの連携〕
本実施形態の携帯電話端末１は、図９や図１０に示すような皿型形状のクレードル８０からの非接触給電により充電可能となされ、また、非接触通信によりクレードル８０との間でデータを送受信する機能を備えている。
【００４３】
本実施形態の携帯電話端末１から非接触通信によりクレードル８０へ送られるデータとしては、カメラ部６により撮影した静止画像や動画像データ、前述したＱＲコードが付加された画像のデータ、電子メールデータ、スケジュールデータ、コメント等のテキストデータなどを挙げることができる。また、当該クレードル８０は、或る携帯電話端末１から取り込んだデータを保存し、その後に別の携帯電話端末１に対して、上記保存しているデータを渡すことも可能となされている。
【００４４】
クレードル８０は、図９に示すように、皿型凹部８３を有する端末受皿部筐体８１と基台部筐体８２とで構成され、上記端末受皿部筐体８１と基台部筐体８２との間８４にはプリント用紙８７にカラー印刷を行うと共に図９中の矢印Ｙｄ方向に用意送りを行うプリンタ部が内蔵されている。当該プリンタ部では、上記携帯電話端末１から受信した静止画像データ（動画像から抜き出した静止画像データも含む）等のカラー印刷が行われる。特に、本実施形態によれば、当該プリンタ部は、前述したＱＲコードが付加された画像等のデータを印刷することも可能となされている。当該カラー印刷の開始は、例えば端末受皿部筐体８３に設けられている印刷ボタン８５の押下、若しくは、携帯電話端末１から送信される印刷開始コマンドの受信により開始される。
【００４５】
また、クレードル８０は、図１０に示すように、近距離無線通信（ケーブルを用いた有線通信でも良い）により、例えばテレビジョン受像機９０に接続されており、上記携帯電話端末１から受信した静止画像や動画像データ、電子メールデータ、スケジュールデータ、コメント等のテキストデータなどを、上記テレビジョン受像機９０へ送信可能となされている。上記テレビジョン受像機９０へのデータ送信の開始は、例えば端末受皿部筐体８３に設けられている再生ボタン８６の押下、若しくは、携帯電話端末１が端末受皿部筐体８１の皿型凹部８３に置かれた時に当該携帯電話端末１から自動送信されるデータ送信開始コマンドの受信により開始され、これにより、テレビジョン受像機９０の画面上には、静止画像や動画像、テキストデータなどが表示されることになる。なお、クレードル８０に接続される機器は、テレビジョン受像機９０だけでなく、パーソナルコンピュータであっても良い。
【００４６】
さらに、クレードル８０は電話通信機能を備えていても良く、その電話通信機能の電話番号は前述した携帯電話端末１の緊急連絡ボタン１１が押下されたときに信号自動送信がなされる宛先電話番号に設定されていても良い。これにより、例えば、前述の緊急連絡ボタン１１が押下され、その携帯電話端末１から現在位置情報とテレビ電話映像信号の自動送信がなされたような場合、当該クレードル８０に接続されたテレビジョン受像機９０の画面上には、例えば前述の図８のように、地図上に子供の現在位置１０２（携帯電話端末１の現在位置１０２）とテレビ電話映像ウィンドウ１０１のウィンドウが表示されることになる。なおこの場合、図８のウィンドウ１０３については表示されない。
【００４７】
〔携帯電話端末の内部構成〕
図１１には、前述した各機能を実現可能な本実施形態の携帯電話端末１の概略的な内部回路構成を示す。
【００４８】
図１１において、データラインは、音声データや電子メールデータ、画像データなの各種データを伝送するための伝送ラインである。
【００４９】
制御ラインは、ＣＰＵ（中央処理ユニット）により構成されている制御部３０からの制御データなどの各種制御情報を伝送するための伝送ラインである。
【００５０】
アンテナ３２は、前述した携帯電話端末１に内蔵されたアンテナであり、通信回路３１に接続され、信号電波を送受信するのに用いられる。
【００５１】
通信回路３１は、送受信信号の周波数変換、変調と復調等を行う。
【００５２】
ここで、上記アンテナ３２及び通信回路３１にて受信された通話音声データは音声処理部３６へ送られ、それ以外の受信データは、制御部３０へ送られて適切に処理された後、必要に応じて当該制御部３０から各部へ送られる。なお、通話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００５３】
上記アンテナ３２及び通信回路３１から通話音声データが供給された時の音声処理部３６は、当該通話音声データを復号化し、その復号化後の通話音声データをアナログ音声信号に変換し、そのアナログ音声信号をスピーカ４０若しくは図示しないイヤホンジャックへ送る。
【００５４】
スピーカ４０は、前述した携帯電話端末１に内蔵され、供給されたアナログ音声信号を内部増幅器により増幅した後、その音声信号を可聴音声に変換して外部に出力する。これにより、スピーカ４０からは通話音声が出力されることになる。
【００５５】
マイクロホン４１は、前述した携帯電話端末１に内蔵され、入力音声をアナログ音声信号に変換すると共に内部増幅器により増幅し、さらにそのアナログ音声信号を音声処理部３６に送る。
【００５６】
上記マイクロホン４１から通話音声信号が供給された時の音声処理部３６は、その通話音声信号をディジタル音声データに変換した後に符号化し、さらにその符号化後の通話音声データを通信回路３１へ送る。これにより、アンテナ３２からは通話音声信号が送信されることになる。
【００５７】
表示部３３は、前述した携帯電話端末１に設けられたディスプレイ５であり、液晶等の表示デバイス及び表示駆動回路を備え、ディスプレイの画面上に画像や文字等を表示する。
【００５８】
操作部３４は、前述した携帯電話端末１に設けられた三つのボタン８と、それらボタン８が操作された時の操作信号を発生する操作信号発生器とからなる。これら三つのボタン８の何れかのボタンが押下操作された時、制御部３０は、当該押されたボタンに対応付けられている電話番号への発呼、若しくは、電子メールアドレスへの発信を行うように、通信回路３１を制御する。
【００５９】
カメラ部４４は、前述した携帯電話端末１に設けられたカメラ部６であり、撮像デバイスにより光像を電気信号に変換して得られた静止画像や動画像のデータを生成し、画像処理部３７に送る。
【００６０】
画像処理部３７は、制御部３０による制御の元で内蔵メモリから読み出された圧縮符号化されている画像データを伸張復号化等し、その伸張復号後の画像データをデータラインを介して表示部３３へ送る。また、画像処理部３７は、カメラ部４４により撮影された静止画像や動画像のデータの圧縮符号化等を行い、その圧縮符号化された画像データを、制御部３０による制御の元で内蔵メモリに送って記憶させる。
【００６１】
メモリ部３５は、ＲＡＭ（Read Only Memory）とＲＡＭ（Random Access Memory）を含む。ＲＯＭは、ＯＳ（Operating System）、制御部３０が各部を制御するための制御プログラムや前述した本実施形態の各機能を実行するためのプログラムコード、各種の初期設定値、フォントデータ、辞書データ、着信音やキー操作音，アラーム音用の各種音データ、電子メールの作成や編集等を行うためのアプリケーション用のプログラムコード、画像や音声に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、静画像や動画像データ、キー操作音，アラーム音用等の音データ、文字データや予測変換の候補単語の登録データや予測変換の学習データ、その他、各種のユーザ設定値等を保存することも可能となされている。ＲＡＭは、制御部３０が各種のデータ処理を行う際の作業領域として、随時データを格納する。
【００６２】
ＧＰＳ部４２は、ＧＰＳにおける測地衛星の発信する電波をＧＰＳ用アンテナ４３を介して受信すると共に、その受信電波に基づいて、自端末の現在位置の緯度及び経度を求める。このＧＰＳ部４２がＧＰＳ用アンテナ４３を介して受信したＧＰＳデータ（緯度，経度を表す情報）は制御部３０へ送られる。
【００６３】
変形認識部４６は、前述した光センサ９と静電スイッチ７からなり、光センサ９と静電スイッチ７の検出出力に基づいて、前述したように内側筐体３が変形したか否かを認識する。変形認識部４６は、変形認識結果の情報を制御部３０へ送る。
【００６４】
ＬＥＤ（発光ダイオード）部４５は、三つのボタン８の照明用ＬＥＤ等を発光させるためのＬＥＤと、それら各ＬＥＤの駆動回路とからなる。当該ＬＥＤ部４５は、制御部３０の制御の元で発光駆動される。
【００６５】
近距離無線通信部３８は、前述したように、携帯電話端末１間で情報の交換を行う場合や、ストラップホルダ１２との間で、ブルートゥース通信や赤外線通信による近距離無線通信を行うためのデバイスである。
【００６６】
非接触通信・電力部４７は、誘導電磁界による電磁誘導により、非接触状態で外部からの電力の供給を受けたり、非接触状態で信号の送受信を行うためのデバイスである。非接触状態で電力の供給を受ける場合、非接触通信・電力部４７は、外部からの誘導電磁界による電磁誘導によりコイルアンテナ４８で発生した電流をパワーマネージメントＩＣ４９に送る。これにより当該パワーマネージメントＩＣ４９は、バッテリ５０への充電を行う。また、非接触状態で信号の送受信を行う場合、非接触通信・電力部４７は、外部誘導電磁界からの電磁誘導によりコイルアンテナ４８で受信した信号を制御部３０へ送る。一方、非接触状態で信号の送受信を行う場合、非接触通信・電力部４７は、制御部３０から供給された送信信号に基づいて、コイルアンテナ４８により誘導電磁界を発生させることで、外部へ信号送信を行う。
【００６７】
バッテリ５０は、例えば着脱可能な二次電池であり、パワーマネージメントＩＣ４９は、バッテリ５０からの電力を各部へ供給する。また、上記非接触通信・電力部４７を介して外部から電力の供給を受けられる状態になっている場合において、パワーマネージメントＩＣ４９は、バッテリ５０の残容量が少ないときには、その外部からの電力によりバッテリ５０を充電する。
【００６８】
制御部３０は、ＣＰＵからなり、メモリ部３５に記憶されているＯＳや各種プログラムに基づいて、携帯電話端末の制御、前述した本実施形態のかかる各種機能を実現するための制御や各種演算を行う。
【００６９】
〔ストラップホルダ１２の内部構成〕
図１２には、前述の図７に示した本実施形態にかかるストラップホルダ１２の概略的な内部回路構成を示す。
【００７０】
図１２に示すストラップホルダ１２において、緊急連絡ボタン部６１は、図７の緊急連絡ボタン１１に相当し、押下操作子からなる。
【００７１】
送信データ生成部６２は、緊急連絡ボタン部６１の押下操作子へのる押下操作に応じた信号を発生し、その操作信号から送信データを生成する。
【００７２】
近距離無線通信部６３は、上記送信データ生成部６２により生成された送信データから、ブルートゥース通信や赤外線通信のフォーマットに応じた送信信号を生成し、その送信信号を本実施形態の携帯電話端末１の近距離無線通信部３８へ送信する。
【００７３】
なお、当該ストラップホルダ１２で使用する電力は、内蔵小型電池から供給されても良く、また、携帯電話端末１から電磁誘導により供給されても良い。
【００７４】
〔クレードルの内部構成〕
図１３には、前述の図９，図１０に示した本実施形態にかかるクレードル８０の概略的な内部回路構成を示す。
【００７５】
図１３において、近距離無線通信部７５は、前述の図１０に示したように、テレビジョン受像機９０との間でブルートゥース通信や赤外線通信により、静止画像や動画像データ、テキストデータなどの情報通信を行う。
【００７６】
操作部７２は、図９に示した端末受皿部筐体８３に設けられている印刷ボタン８５や再生ボタン８６と、それらボタン８５や８６が操作された時の操作信号を発生する操作信号発生器とからなる。
【００７７】
プリンタ部７１は、上記携帯電話端末１から送られた静止画像データ（動画像から抜き出した静止画像データやＱＲコードが付加された画像データも含む）等を、制御部７０カラー印刷を行う。
【００７８】
電話通信部７７は、前述した携帯電話端末１のストラップホルダ１２の緊急連絡ボタン１１が押下された時に送信される信号を電話回線を介して受信するための電話受信機能部である。
【００７９】
非接触通信・給電部７３は、誘導電磁界による電磁誘導により、非接触状態で外部へ電力を供給したり、非接触状態で信号の送受信を行うためのデバイスである。非接触状態で外部つまり本実施形態の携帯電話端末１へ電力を供給する場合、非接触通信・給電部７３は、コイルアンテナ７４により誘導電磁界を発生させることで、携帯電話端末１への給電を行う。また、非接触状態で信号の送受信を行う場合、非接触通信・給電部７３は、外部（つまり本実施形態の携帯電話端末１）からの誘導電磁界の電磁誘導によりコイルアンテナ７４で受信した信号を制御部７０へ送る。一方、非接触状態で信号の送受信を行う場合、非接触通信・給電部７３は、制御部７０から供給された送信信号に基づいて、コイルアンテナ７４により誘導電磁界を発生させることで、外部（本実施形態の携帯電話端末１）へ信号送信を行う。
【００８０】
制御部７０は、ＣＰＵからなり、このクレードル８０の制御、前述した本実施形態にかかるクレードル８０の各種機能を実現するための制御や各種演算を行う。
【００８１】
〔まとめ〕
以上説明したように、本実施形態によれば、内側筐体３をエラストマー等の弾性部材により形成し、また、その内側筐体３を外周筐体２により囲むようになわれているため、本実施形態の携帯電話端末１を例えば子供が持つような場合に、耐衝撃性や防水性能を確保することができる。
【００８２】
また、本実施形態によれば、内側筐体３の背面側を指等に押して当該内側筐体３を押し出すような操作により、他の携帯電話端末１との間で情報の交換が行えるようになされているため、情報の交換という操作が子供にとって感覚的且つ視覚的に判り易く使い易いものなっている。さらに本実施形態によれば、内側筐体３を変形させるという行為自体が楽しさやコミュニケーション性を持っている。
【００８３】
また、本実施形態によれば、緊急連絡ボタン１１が押下された時に、自動的に所定の信号を予め定めた電話番号や電子メールアドレスへ送信可能となされているため、例えば子供を狙った犯罪の発生等により不測の事態が発生した場合に保護者等が迅速に対処可能である。
【００８４】
さらに、本実施形態によれば、三つのボタン８の操作により所定の電話番号への発呼や電子メールアドレスへの発信が行え、さらに、クレードル８０上に携帯電話端末１を置くだけで、自動的に充電と情報の送受信が行われるため、子供にとって使い易いものとなっている。
【００８５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８６】
例えば、本発明の携帯通信端末は、携帯電話端末に限定されず、ＰＤＡ等の各種の携帯端末にも適用可能である。
【図面の簡単な説明】
【００８７】
【図１】本発明実施形態の携帯電話端末の概略的な外観正面図である。
【図２】本発明実施形態の携帯電話端末を正面側から見た概略的な外観斜視図である。
【図３】本発明実施形態の携帯電話端末を背面側から見た概略的な外観斜視図である。
【図４】本発明実施形態の携帯電話端末の内側筐体を押し出した状態の概略的な外観斜視図である。
【図５】本発明実施形態の携帯電話端末の内側筐体が通常の状態となっている時の概略的な断面図である。
【図６】本発明実施形態の携帯電話端末の内側筐体が押し出された状態となされた時の概略的な断面図である。
【図７】本発明実施形態の携帯電話端末にストラップホルダとストラップを取り付けた状態を示す図である。
【図８】子供の携帯電話端末から現在位置とテレビ電話映像信号が送信された場合において、親の携帯電話端末のディスプレイ画面上に地図と子供の現在位置及びテレビ電話映像のウィンドウが表示された例を示す図である。
【図９】本発明実施形態のクレードルの概略的な外観斜視図である。
【図１０】本発明実施形態のクレードルと携帯電話端末とテレビジョン受像機の関係説明に用いる図である。
【図１１】本発明実施形態の携帯電話端末の概略的な内部構成を示すブロック図である。
【図１２】本発明実施形態のストラップホルダの概略的な内部構成を示すブロック図である。
【図１３】本発明実施形態のクレードルの概略的な内部構成を示すブロック図である。
【符号の説明】
【００８８】
１  携帯電話端末、２  外周筐体、３  内側筐体、４  ストラップ取り付け部、５  ディスプレイ、６  カメラ部、７  静電スイッチ、８  三つのボタン、９  光センサ、１１  緊急連絡ボタン、１２  ストラップホルダ、３０  制御部、３１  通信回路、３２  通信用のアンテナ、３３  表示部、３４  操作部、３５  メモリ部、３６  音声処理部、３７  画像処理部、３８  近距離無線通信部、４０  スピーカ、４１  マイクロホン、４２  ＧＰＳ部、４３  ＧＰＳ用アンテナ、４４  カメラ部、４５  ＬＥＤ部、４６  変形認識部、４７  非接触通信・電力部、  ４８  コイルアンテナ、４９  パワーマネージメントＩＣ、５０  バッテリ、６１  緊急連絡ボタン部、６２  送信データ生成部、６３  近距離無線通信部、７０  制御部、７１  プリンタ部、７２  操作部、７３  非接触通信・給電部、７４  コイルアンテナ、７５  近距離無線通信部、７７  電話通信部、８０  クレードル、８１  端末受皿部筐体、８２  基台部筐体、８３  皿型凹部、８５  印刷ボタン、８６  再生ボタン、８７  プリント用紙、９０  テレビジョン受像機、１００  親の携帯電話端末のディスプレイ、１０１  子供のテレビ電話映像ウィンドウ１０１、１０２  現在位置、１０３、親のテレビ電話映像用のウィンドウ
【図１】
0004518330.tif 000002
【図２】
0004518330.tif 000003
【図３】
0004518330.tif 000004
【図４】
0004518330.tif 000005
【図５】
0004518330.tif 000006
【図６】
0004518330.tif 000007
【図７】
0004518330.tif 000008
【図８】
0004518330.tif 000009
【図９】
0004518330.tif 000010
【図１０】
0004518330.tif 000011
【図１１】
0004518330.tif 000012
【図１２】
0004518330.tif 000013
【図１３】
0004518330.tif 000014